(57)【要約】      （修正有）【課題】急須取っての取り付け角度を、人の自然な機能に契合させ、日常不可欠な熱湯を使用する不安や危険の生じ易い急須を自然体で把持することで、従来急須よりも安定感、軽量感、安全性が大きく改善される急須を提供する。【解決手段】急須の取って長さ方向の中心延長線は、急須注ぎ口部長さ方向の中心延長線と急須の中心で直交する急須本体中心延長線上の急須外部側面に在り、且つ上記急須本体中心延長線と、取って長さ方向の中心延長線との取り付け角度を、従来全く注目もされなかった自然な人の肘、手首、指を考察した総和角度１５度〜４０度で取り付けることにより、急須を安定させ、安全、把持時の軽量感を得ることで、軽量、安心、危険回避、安定効率を極限に向上させた急須である。【選択図】図１
0003146107.tif 000002
【実用新案登録請求の範囲】
【請求項１】
取っては、注ぎ口部長さ方向の中心延長線と急須本体の中心で直交する急須本体中心延長線上の急須本体外部側面に取って長さ方向の中心延長線が接して在り、且つ前記急須本体中心延長線と、取って長さ方向の中心延長線との交叉角度を１５度〜４０度で取り付けた事を特徴とする急須。
【考案の詳細な説明】
【技術分野】
【０００１】  本考案急須取っては、自然な身体機能を考察した上腕の延長線よりも手の平方向に向いた肘、手首、指の総和角度１５度〜４０度で取り付けた急須に関する。
【背景技術】
【０００２】  従来急須の殆どの取っては、急須本体中心延長線上で注ぎ口部長さ方向の中心線に対してほぼ直角に取り付けられているため嵩が大きく、且つ急須本体から急須注ぎ口が突出している特に重い陶器、磁器等の急須は、双方の突出部方向に重心が大きく偏っていた。【０００３】  ほぼ取って内部は、軽量、材料節減等の目的で空洞形成されているにもかかわらず、従来の急須は取って、注ぎ口の双方突出部方向に重心が大きく偏っていて非常に不安定であるため、空の急須、茶湯を貯留した各々の急須を持ち上げた時、突出部二方向の水平維持力を必要とし、双方の従来急須は急須総重量以上に重く感じられていた。【０００４】  重心が二方向へ大きく偏った従来急須は、熱湯の貯留量が増えれば増えるほど突出した注ぎ口部内にも貯留されることで、更に急須重心は注ぎ口方向に移動して不安定で転倒、破損、火傷等々の危険が増大する事となるが、急須使用者への安全等には殆んど配慮されていなかった。【０００５】  人の自然な身体機能は、肘、手首、指の角度が上腕の延長線よりも手の平方向である事に着目し、取っては、注ぎ口部長さ方向の中心延長線と急須本体の中心で直交する中心延長線（以下、急須本体中心延長線と称する）上の急須本体外部側面に取って長さ方向の中心線を接し、且つその取り付け角度を自然な身体機能に相応した総和角度１５度〜４０度で取り付けることにより、手、指に馴染んで把持し易く、急須の安定、安全、軽量感等を精査探求しようとした急須の存在は無かった。
【特許文献１】  公開実用昭和６０−１４５８７４
【特許文献２】  意願昭５７−１９４７
【考案の開示】
【考案が解決しようとする課題】
【０００６】  上記の従来全く無関心、注目もされなかった人の自然な身体機能に着目考察し、取ってを、手の平方向に向いた肘、手首、指の自然な身体機能の総和角１５度〜４０度で取り付ける事により、従来急須よりも格段に安定し、把持時により多くの軽量感、安定等及び、製造物責任法を視野に入れた使用者の安全性等を厳探追及する急須。【０００７】  従来急須の取っては、急須本体中心延長線上で注ぎ口部長さ方向の中心延長線に対してほぼ直角に取り付けられており、突出した注ぎ口部や茶漉し部、漏れ防止部等の部材重量によって従来急須重心は、注ぎ口方向と取って方向に大きく偏り、熱茶湯の貯留量が増えるほど注ぎ口部内に茶湯が貯留され、空の急須重心位置よりも更に不安定な注ぎ口方向に移動するため、注ぎ口方向に転倒し易く、急須破損や怪我、火傷等の危険率増加にも繋がっていた。【０００８】  上記した注ぎ口、取っての双方に大きく傾こうとする非常に不安定な従来急須を持ち上げようとした時、急須を水平に保つ上記双方向の水平維持力を必要とし、そのために従来急須は急須の自重以上、茶湯を貯留した急須の総重量以上に重く感じられ、通常、無意識に行われていた給茶も、特に病人、老人、弱者等からは負担に感じられる事から、馴染み、親しみ深い陶器、磁器製等のより安定した安全、軽量な急須が要求されていた。【０００９】  本考案の急須及び茶湯最大貯留時の急須重心は、急須本体の中心に存在する最も安定した急須の理想重心位置に可能な限り近接位置設定することで、使用者の急須把持時の手の馴染み、安定、安心、安全性等々を厳探追求することにある。
【課題を解決するための手段】
【００１０】  上記課題を解決するため本考案急須の取っては、注ぎ口部長さ方向の中心延長線と急須本体の中心で直交する急須本体中心延長線上の急須本体外部側面に取って長さ方向の中心延長線が接して在り、且つ前記急須本体中心延長線と、取って長さ方向の中心延長線との交叉角度を１５度〜４０度で取り付けた事を特徴とする。
【考案の効果】
【００１１】  従来急須本体と同等な本体に、従来急須取ってと同等の取ってを、上記総和角１５度〜４０度で取り付けた本考案急須は、注ぎ口方向、取って方向に偏った急須重心位置が改善されて、二方向の急須重心は、急須本体の中心に存在する理想重心位置に近接することで、従来急須よりも急須は安定し、急須把持時は軽量感を得て、自然体での手指にしっくり馴染む。【００１２】  取っての取り付け角度変更を主とする上記とは異なり、茶湯最大貯留時における注ぎ口部、茶漉し部、漏れ防止部等の部材重量及び注ぎ口部内に貯留された茶湯重量の総和と、取って部材重量との重量バランスが、急須本体中心延長線の垂直線上で保たれる事を積極的に行なう事も可能となり、従来急須の二方向に偏っていた茶湯最大貯留時急須重心は、一方向の偏った急須重心は消滅させる事ができる。【００１３】  突出部の二方向に不安定な従来急須は、茶湯を貯留するほど本体から突出した注ぎ口部内の貯留量が増える事で、重心は更に注ぎ口方向に移動して最大貯留時が最も不安定位置となり、急須の転倒、落下、破損、怪我、火傷等の発生率が最も高くなっていたが、本考案急須の茶湯最大貯留時急須重心を、急須本体中心延長線上に意図的に存在させる方法により、従来急須の二方向に在った一方の重心の偏りを消滅させ、一方の急須重心を急須理想重心位置に近接させる事で、従来急須の最も不安定で、最も危険な茶湯最大貯留時が、本考案急須では最も安定し、上記諸事発生率を激減させることとなる。【００１４】  二番茶、三番茶の楽しみ方や利用方法は、茶湯を給茶時に全て注ぎ切る事が良いとされており、その際、給茶後の急須内茶漉し部には水分を充分に含んだ重い茶の葉又は、ティバッグが吸着されていて、急須が置かれても茶の葉等は、注ぎ口部に接する茶漉し部で密着状態又は、茶漉し部下方に落下するため、従来急須重心は注ぎ口方向に偏り更に不安定となるが、重い茶の葉等が茶漉し部付近に存在した本考案急須重心は、急須本体中心延長線の垂直線上に近い安定位置となり、空の急須よりも給茶後の急須のほうが安定する事となる。【００１５】  従来急須取っての取り付け角度は、急須本体中心延長線に対して取って長さ方向の中心線が殆ど重なる直線状であるため、嵩は大きく、把持時に重く感じられ、いかなる長短、軽重取ってを使用しても、本考案急須調整の一方法のように、茶湯最大貯留時の急須本体中心延長線の垂直線上で一方向の重量均衡を保つ事は不可能である。【００１６】  上記二方法のいずれの場合も、取っての取り付け角度が４０度に近づくほど安定効果は大きく、取り付け角度１５度以下、４０度以上の急須では、本考案が特徴とする自然体での急須取って把持が不可能となって、把持時、給茶時の急須は、いずれも本考案急須の上記併有効果を得る事は困難となる。
【実施例１】
【００１７】  実施の一例を図面にて参照説明する。図１は上蓋を取り外した漏れを防ぐための塞止部を設けた本考案急須の平面図であり、直線Ａ−Ａは急須注ぎ口部長さ方向の中心延長線であって、直線Ｂ−Ｂは急須本体の中心で直線Ａ−Ａと直交している急須本体中心延長線であり、その直交部の垂直線上には急須が最も安定する急須の理想重心位置８があり、取って長さ方向の中心延長線Ｃ−Ｃは、Ｂ−Ｂ線とは２１度、急須外部側面のＢ−Ｂ線垂直線上で取り付けられている。【００１８】  図２は、図１に上蓋を装着した急須Ａ−Ａの断面図であり、図３は、本考案急須取って方向からの側面図である。【００１９】  図１の１０位置垂直線上には、急須本体中心延長線上で注ぎ口部長さ方向の中心延長線に対してほぼ直角に取り付けられた従来急須重心、９位置垂直線上には、従来急須本体と同等の本体及び、取ってを使用し、Ｂ−Ｂ線上で取って長さ方向の中心線を２１度で取り付けた本考案急須重心が存在している事を示したものである。【００２０】  従来急須と同等の急須本体に、従来急須と同等の取ってを取り付け、前記総和角１５度〜４０度で取り付けた本考案急須取って端部は、注ぎ口部長さ方向の中心延長線に近接する為、注ぎ口方向、取って方向の急須重心が理想重心位置８に近づくことで、従来急須と比較すれば急須は安定し、把持時は急須の水平維持力が少ないため、安全、軽量感を覚え、自然な身体機能に契合した取り付け角度であるゆえ、手指にしっくり馴染む。【００２１】  取っての取り付け角度が大きくなるほど前記効果は顕著となるが、取っては趣向により、長短、軽重、多種多様であり、特に比較的長く重い、取って使用の場合、取付け角４０度に近づくと茶湯最大貯留時の急須重心は、急須本体中心延長線の注ぎ口反対方向に移る可能性も生ずるが、その際は、茶湯最大貯留時の急須重心を急須本体中心延長線上に維持させるべく、取っての短尺化、取って又は、取って端部の軽量化等の調整が必要であり、この調整で急須の軽量、安定効果は一層増大するが、同時に取っての強度、機能等に支障を生じない配慮が必要である。【００２２】  図１を参照して、従来の急須に茶湯を貯留し続けると最大貯留時の従来急須重心は１０位置の垂直線上から注ぎ口方向及び、直線Ａ−Ａに僅かに近接した位置の垂直線上に移動し、本考案急須に茶湯を貯留し続けると最大貯留時の本考案急須重心は、ほぼ上記同様に９位置の垂直線上から注ぎ口方向及び直線Ａ−Ａに僅かに近接した位置の垂直線上に移動することとなり、図面１は、取っての取り付け角度が２１度のものであり、４０度に近づく程、本考案急須重心９位置は直線Ａ−Ａ、直線Ｂ−Ｂに更に近接し、急須理想重心８位置に接近して安定効果は顕著となる。
【実施例２】
【００２３】  取っての取り付け角度変更を主とした実施例１に対して、更に大きな効果を得ようと１５度〜４０度全ての角度の茶湯最大貯留時急須重心を、急須本体中心延線上の最も急須理想重心位置に可能な限り、意図的に近接位置設定しようとするものである。【００２４】  本考案急須の茶湯最大貯留時の急須重心が、注ぎ口部材、茶漉し部材、塞止部材及び、注ぎ口部内茶湯貯留重量等の総和重量と、取って部材の重量均衡が、急須本体中心延長線上で保たれる事を積極的に行う事であるが、調整部分及び方法は、塞止部の小型化、又は削除、茶漉し部の小型軽量化、取っての長短、軽重等の調整であり、必要ならば注ぎ口の高さは維持をしながら、注ぎ口部の小型軽量化、突出長さの縮小に及んでも良いが、調整後の全ての急須重量は、調整前の急須重量範囲内に納める事を基本とする。【００２５】  従来急須重心は茶湯を貯留するほど、理想急須重心位置から遠く外れた注ぎ口方向に移動し、茶湯最大貯留畤には、不安定、転倒、落下、怪我、火傷等の最も発生率の高い位置となり、上記方法で調整された本考案急須は、茶湯最大貯留時の注ぎ口方向の急須重心が、急須本体中心延長線上の垂直線上に存在することで、急須が置かれた時、注ぎ口方向へ傾こうとする力は全く生じず、取って方向に偏りが生ずるのみで、それ故置かれた急須は安定し、把持時は急須を水平に維持する力が少なく、軽量感を得て上記諸事発生率を大きく減少させる事が可能となり、使用者の安全や安心を得る事となる。【００２６】急須の利用者は、最大貯留時の７〜８割前後の茶湯量での利用が多く、本考案急須の注ぎ口部の形状は、本体取り付け部付近の注ぎ口部内茶湯貯留量が多く、先端に近づくほど少ない構造であるため、７〜８割前後の茶湯貯留本考案急須重心位置は、最大貯留時の本考案急須重心位置の垂直線上に殆ど近接した位置となって、効果も茶湯最大貯留時と殆ど同等に得られる。【００２７】  しかしながら、上記調整方法によって、取ってを１５度又は、１５度に近い角度で取り付けて、茶湯最大貯留時の注ぎ口部長さ方向の急須重心を急須本体中心延長線上に置いた急須は、注ぎ口方向の軽量化が行なわれる事で、急須全体の軽量効果は増大するが、尚取って方向に重心が偏り易いため、上記調整方法の内においても、取って方向への急須重心の偏りを最小に抑える調整配慮が望ましい。【００２８】  上記からも、置かれた急須を安定させるためには、取っての取り付け角度が小さな急須ほど、卓上等に接する底面積の大きな急須が有効であり必要とされる事が解かり、取り付け角度が大きくなるほど、置かれた急須は安定効果が増大する為、急須の底面積を小さくした急須製作も可能となり、その為取り付け角度が大きな急須は、趣向やデザイン化等の幅を拡大させる事に繋がる。【００２９】  上記は実施の一例であって、塞止部の有無を問うものではなく、取っての内部は空洞であるが端部密封の有無を制限するものでも無く、さらに取ってを、本考案図面１と対称に取り付ければ、左利き者用の急須も容易に製作可能となる。【００３０】  上腕の延長線よりも手の平方向に向いた人の肘、手首、指の自然な角度とは、身体の状態や個人差もあり特定し難く、直立不動の号令姿勢から解放された自然な���、手首、指の角度を考察した総和角度は１０度〜２５度であり、給茶時の身体前方での自然な上記総和角度は１５度〜４０度である事から１５度〜４０度間としたものであって、実施例図１の総和角度７は２１度としたものであり、上記総和角度範囲内であれば、取り付け角度を特に制限するものではない。
【産業上の利用の可能性】
【００３１】  本考案は使用者への安心、安全等を厳探するものであり、製造物責任法が施行された以降は、商品の欠陥指摘、製造者への責任追及は厳しく、通常予見される使用形態、有すべき安全性を欠いている等々の厳しい条件を克服すべく、使用者保護、製造物責任法遵守に伴い、より安全商品に繋げようとするものであって、注目もされなかった上腕の延長線よりも手の平方向に向いた自然な肘、手首、指の角度を考察し、取ってを上記総和角度で急須本体に取り付けることで、自然体で把持する急須とし、上記取っての調整方法によって利便、安定、安心、軽量感等々効果を併有取得したことで高齢者、弱者をはじめ多数の使用者に支持、歓迎される安全性を極限に向上させた商品である。
【図面の簡単な説明】
【００３２】
【図１】本考案取って取り付け角度及び急須の平面図
【図２】上蓋をのせた急須Ａ−Ａの断面図
【図３】本考案急須取って方向の側面図
【符号の説明】
【００３３】  １    急須本体
２    注ぎ口部
３    漏れを防ぐための塞止部
４    蓋受棚
５    上蓋
６    取って
７    （手の平方向に向いた自然な肘、手首、指を考察した）総和角度
８    急須の理想重心位置（直交部）
９    本考案の急須重心位置
１０  従来の急須重心位置
１１  茶漉し部
１２  注ぎ口
【図１】
0003146107.tif 000003
【図２】
0003146107.tif 000004
【図３】
0003146107.tif 000005